(57)【要約】【課題】色素メディアを用いた追記型光ディスクに情報をマークとして記録するためのＬＤ発光波形規則（ストラテジ）として、単パルス波形の一部にパワーを重畳させたキャッスルストラテジ波形でマークを形成する方式が提案されている。ＬＤは自己発熱などによりＩ−Ｌ特性が変動しやすく、安定化手段としてＡＰＣ制御が行なわれる。また、記録中の反射光（ＲＦ信号）を検出してそのレベルに応じて記録パワーを修正していく。しかし、高速記録の場合、回路の制御帯域が高くなり、正確なサンプリングが難しい。【解決手段】通常のマーク記録時は前後端に短いパルスを重畳させたキャッスルストラテジ波形を用いて記録を行い、所定の周期で単パルスを出力する。このタイミングでＬＤの光出力もしくはメディアからの反射光をサンプリングする。ＬＤの光出力のサンプリングの周期に対し、反射光のサンプリングの周期は十分大きく、あるいは小さくしておく。【選択図】  図５
2006092664.tif 000002
【特許請求の範囲】
【請求項１】
レーザー光源を有し、該レーザー光源からのレーザー光に対し、少なくとも、低レベルと高レベルの２値以上の信号を有する変調駆動を行うことによって、記録媒体上に所定の記録変調方式に基づいたマークおよびスペース情報の記録、および再生を行う光情報記録装置であって、前記高レベルの信号の一部にさらに他の高レベルの信号を重畳した複数レベルを有するパルス波形によって前記レーザー光源を変調駆動し、前記マーク情報を記録する光情報記録装置において、前記複数レベルを有するパルス波形の所定期間間隔で、前記他の高レベルの信号を重畳しない前記高レベルの単パルス波形に切り替える手段を設けたことを特徴とする光情報記録装置。
【請求項２】
請求項１に記載の光情報記録装置において、第１の所定間隔で前記高レベルの発光光量をサンプリングすることで、前記高レベルが所望のレベルになるように制御する手段を設け、前記サンプリングは前記単パルス波形に切り替えた時点で行うことを特徴とする光情報記録装置。
【請求項３】
請求項１に記載の光情報記録装置において、第２の所定間隔で前記記録媒体からの反射光量をサンプリングすることで、前記記録媒体への記録品質が一定となるように制御する手段を設け、前記サンプリングは前記単パルス波形に切り替えた時点で行うことを特徴とする光情報記録装置。
【請求項４】
請求項２に記載の光情報記録装置において、第２の所定間隔で前記記録媒体からの反射光量をサンプリングすることで、前記記録媒体への記録品質が一定となるように制御する手段を設け、前記サンプリングは前記単パルス波形に切り替えた時点で行うことを特徴とする光情報記録装置。
【請求項５】
請求項４に記載の光情報記録装置において、前記第１の所定間隔は前記第２の所定間隔より十分大きいことを特徴とする光情報記録装置。
【請求項６】
請求項４に記載の光情報記録装置において、前記第２の所定間隔は前記第１の所定間隔より十分大きいことを特徴とする光情報記録装置。
【請求項７】
請求項１ないし６のいずれか１つに記載の光情報記録装置において、前記レーザー光源に対する前記高レベルの変調駆動と、前記他の高レベルの変調駆動が相異なる電流印加手段で構成され、前記単パルスに切り替える手段は、前記電流印加手段の系統切り替え手段であることを特徴とする光情報記録装置。
【請求項８】
請求項１ないし７のいずれか１つに記載の光情報記録装置において、前記所定期間間隔を、前記記録媒体への情報記録時における前記媒体の線速に応じて変化させることを特徴とする光情報記録装置。
【請求項９】
請求項１ないし８のいずれか１つに記載の光情報記録装置において、前記単パルス波形に切り替えるタイミングは、所定長以上のマーク情報出力期間になるように設定したことを特徴とする光情報記録装置。
【発明の詳細な説明】
【技術分野】
【０００１】
本発明は、光ディスクなどの記録媒体上に、光源からのレーザ光により情報を記録する光情報記録装置に関する。
【背景技術】
【０００２】
図１０は従来の記録時のＬＤ波形を説明するための図である。同図（ａ）はチャネルクロック、同図（ｂ）は記録データ、同図（ｃ）はＬＤ波形をそれぞれ示す図である。
マルチメディアの普及に伴い、音楽用ＣＤ、ＣＤ−ＲＯＭ、ＤＶＤ−ＲＯＭなどの再生専用メディア（記録媒体）や情報再生装置の他に、色素メディアを用いた追記型光ディスクや、相変化型メディアを用いた書き換え可能ディスクを用いた情報記録再生装置が実用化されている。
色素型メディアに情報を記録するための一般的な記録波形としては例えば同図（ｃ）に示すような８−１６変調コードなどに基づいて生成した単パルスの半導体レーザ（ＬＤ）発光波形があるが、この記録波形による単パルス記録では、蓄熱のため記録マークが涙状に歪みを生じたりする不具合がある。
図１１は改良型のＬＤ波形を説明するための図である。同図（ａ）はチャネルクロック、同図（ｂ）は変調信号、同図（ｃ）は光波形をそれぞれ示す図である。
色素系メディアに情報を記録するためのＬＤ発光波形規則（ストラテジ）として、同図（ｃ）に示すように、ＥＦＭ変調コードなどの記録データに基づいたマルチパルス波形のレーザ光により、色素系メディアにマークを形成する方式が提案されている。また、記録線速の増大に伴い、レーザをマルチパルスで発光させることが困難になってきており、後述の図４（ｃ）に示すような単パルス波形の一部にパワーを重畳させたパルス波形（キャッスルストラテジ波形と呼ぶことにする）でマークを形成する方式が提案されている。
このキャッスルストラテジ波形は、マークエッジを強調するため、パルスの前端と後端の所定期間、ピークレベルから所定パワーを重畳させている（この期間のレベルををブーストレベルと呼ぶことにする）。
【０００３】
図１２はＬＤの駆動電流に対する発光パワー特性変化を説明するための図である。
同図に示すように、色素系メディアや相変化メディアに記録を行なう際には、記録発光パワーの制御を正しく行なうことが必要である。ＬＤは自己発熱などにより駆動電流−発光パワー特性（Ｉ−Ｌ特性）が容易に変動してしまうので、発光パワーを安定化させる手段として一般的にＡＰＣ（Ａｕｔｏｍａｔｉｃ  Ｐｏｗｅｒ  Ｃｏｎｔｒｏｌ）制御が行なわれる。これは、ＬＤ出射光の一部をフォトディテクタ（ＰＤ）に入射させ、ＬＤ発光パワーに比例して発生するモニタ電流を用いてＬＤ駆動電流を制御するというものである。情報再生のみを考慮した場合は、一般的にＬＤ駆動電流はノイズ抑制のために高周波電流が重畳されるが、ＤＣ的には一定電流であるため、比較的低帯域の帰還ループを構成する事で容易にＡＰＣを実現することができる。記録時にＡＰＣを行なう場合は、マーク／スペースを形成するために記録パワーが高速で変化するため、制御に工夫が必要がある。例えば、ＣＤ系やＤＶＤ系では記録データのＤＳＶ（ｄｉｇｉｔａｌ  ｓｕｍ  ｖａｌｕｅ）がゼロになることを利用して、低帯域の帰還ループを構成すれば、再生時と同様に簡易な構成で記録パワーを制御することができるが、正確なパワーを制御することはできない。
【０００４】
そこで、例えば、ＣＤ−Ｒメディアに図１０（ｃ）に示すようなストラテジで記録を行なう場合には、例えば、最長データ長である１１Ｔの長さのマークあるいはスペースのデータが記録される際にマーク／スペースそれぞれで発光パワーをサンプル／ホールドするようにすれば、ディスク回転数を４倍速程度にした場合でも制御帯域は数ＭＨｚでよく、比較的安価な構成で正確な記録パワーを制御することができる。
また、一般的に記録動作中は、装置内の温度上昇等によるレーザ波長変動やディスク記録感度の面内変動などで、最適な記録パワーが変化する。そこで、記録中に常に最適なパワーで記録を行うため、色素系メディアではいわゆるＲｕｎｎｉｎｇ−ＯＰＣといわれる動作が行なわれることがある。これは、記録中の反射光（ＲＦ信号）を検出して反射光のレベルに応じて記録パワーを修正していくものである。
図１３は反射光検出における問題点を説明するための図である。
同図に示すように、記録動作中は、マークデータを記録した個所はレーザ光が照射されたそばから反射率が低くなっていくので、ＲＦ信号はマークの先頭から後端に向かって徐々に低くなっていく。そこで、ＲＦ信号を検出するには、ＲＦ信号のレベルがある程度安定する後端の所定の個所でサンプルを行なうようにすればよく、ＣＤ−Ｒメディアの場合は１１Ｔ長のマーク発光時にこのサンプル動作を行えばよい。
しかし、色素系ＤＶＤメディアの高速記録で上述したキャッスルストラテジ波形を用いる場合、中央のピークレベル部分を正確にサンプルするには、単純なサンプル／ホールド回路では受光系やその後段の回路で非常に高速な制御帯域が必要になり、現実的でない。
この問題点を解決する方法として、マルチパルス波形を適宜単パルスに置き換えるようにし、適正な反射光量を検出できるようにしているものがある（例えば、特許文献１  参照。）。
ところが、特許文献１に示された構成では、マルチパルス波形を適宜単パルスに置き換えるためにパルス生成部を２系統具備する必要があり、装置が複雑になってしまうという問題がある。また、このような構成の場合、１マークデータ分、など瞬間的にパルス波形を切り替えることは困難である。
【０００５】
【特許文献１】特開２００２−１６３８２４号公報
【発明の開示】
【発明が解決しようとする課題】
【０００６】
本発明は、上記のような問題点を解決するためになされたもので、わずかな回路構成の付加により、記録中の発光パワーを正確に制御することを目的とする。
【課題を解決するための手段】
【０００７】
請求項１に記載の発明では、レーザー光源を有し、該レーザー光源からのレーザー光に対し、少なくとも、低レベルと高レベルの２値以上の信号を有する変調駆動を行うことによって、記録媒体上に所定の記録変調方式に基づいたマークおよびスペース情報の記録、および再生を行う光情報記録装置であって、前記高レベルの信号の一部にさらに他の高レベルの信号を重畳した複数レベルを有するパルス波形によって前記レーザー光源を変調駆動し、前記マーク情報を記録する光情報記録装置において、前記複数レベルを有するパルス波形の所定期間間隔で、前記他の高レベルの信号を重畳しない前記高レベルの単パルス波形に切り替える手段を設けたことを特徴とすることを特徴とする。
【０００８】
請求項２に記載の発明では、請求項１に記載の光情報記録装置において、第１の所定間隔で前記高レベルの発光光量をサンプリングすることで、前記高レベルが所望のレベルになるように制御する手段を設け、前記サンプリングは前記単パルス波形に切り替えた時点で行うことを特徴とすることを特徴とする。
請求項３に記載の発明では、請求項１に記載の光情報記録装置において、第２の所定間隔で前記記録媒体からの反射光量をサンプリングすることで、前記記録媒体への記録品質が一定となるように制御する手段を設け、前記サンプリングは前記単パルス波形に切り替えた時点で行うことを特徴とすることを特徴とする。
【０００９】
請求項４に記載の発明では、請求項２に記載の光情報記録装置において、第２の所定間隔で前記記録媒体からの反射光量をサンプリングすることで、前記記録媒体への記録品質が一定となるように制御する手段を設け、前記サンプリングは前記単パルス波形に切り替えた時点で行うことを特徴とすることを特徴とする。
請求項５に記載の発明では、請求項４に記載の光情報記録装置において、前記第１の所定間隔は前記第２の所定間隔より十分大きいことを特徴とすることを特徴とする。
【００１０】
請求項６に記載の発明では、請求項４に記載の光情報記録装置において、前記第２の所定間隔は前記第１の所定間隔より十分大きいことを特徴とすることを特徴とする。
請求項７に記載の発明では、請求項１ないし６のいずれか１つに記載の光情報記録装置において、前記レーザー光源に対する前記高レベルの変調駆動と、前記他の高レベルの変調駆動が相異なる電流印加手段で構成され、前記単パルスに切り替える手段は、前記電流印加手段の系統切り替え手段であることを特徴とすることを特徴とする。
請求項８に記載の発明では、請求項１ないし７のいずれか１つに記載の光情報記録装置において、前記所定期間間隔を、前記記録媒体への情報記録時における前記媒体の線速に応じて変化させることを特徴とすることを特徴とする。
請求項９に記載の発明では、請求項１ないし８のいずれか１つに記載の光情報記録装置において、前記単パルス波形に切り替えるタイミングは、所定長以上のマーク情報出力期間になるように設定したことを特徴とすることを特徴とする。
【発明の効果】
【００１１】
本発明によれば、光情報記録装置による記録の際に、媒体上の記録形状を所望の形に確保するため、複数レベルの書き込み用パルス波形で書き込む装置において、光源の発光レベルや、媒体への書き込み品質を安定させるためのレベル検出が容易になる。
【発明を実施するための最良の形態】
【００１２】
図１は本発明を適用する光情報記録装置の基本的な全体構成例を示す図である。
同図において符号１は光情報記録装置、２は記録媒体、３は半導体レーザ、４はコリメータレンズ、５は偏光ビームスプリッタ、６はλ／４板、７は対物レンズ、８は検出レンズ、９は分割受光素子、１０はＲＦ信号復調回路、１１はＦｏ／Ｔｒサーボ制御装置、１２はアクチュエータ、１３はＣＰＵ、１４はホスト、１５はＬＤパワー制御装置、１６は集光レンズ、１７は前方フォトディテクタ（ＰＤ）、１８はＲＦ信号レベル検出回路をそれぞれ示す。
図１以下を用いて本発明の実施形態を説明する。本実施形態では、ＤＶＤフォーマットのコードデータを、色素系メディア（例えば、ＤＶＤ＋Ｒディスク）に記録（追記）する光情報記録装置への適用例を示し、データ変調方式（記録変調方式）として８−１６変調コードを用いてマークエッジ（ＰＷＭ：Ｐulse Ｗidth Ｍodulation）記録を行うものとする。本実施の形態では、このようなメディアと記録データとを用いて、記録に際して所定の発光規則によりレーザ光源としての半導体レーザをマルチパルス発光させてマーク／スペースを記録するものである。
【００１３】
光情報記録装置１においては、スピンドルモータ（図示せず）により回転駆動される例えばＤＶＤ+Ｒによる記録媒体２に対して再生動作又は記録動作のために照射するレーザ光を発するレーザ光源としての半導体レーザ（ＬＤ）３が設けられている。この半導体レーザ３から発せられたレーザ光はコリメータレンズ４により平行光束に変換された後、偏光ビームスプリッタ５、λ／４板６、および対物レンズ７を経て記録媒体２上に集光照射される。記録媒体２から反射された戻り光は、再び対物レンズ７、およびλ／４板６を経て、偏光方向が９０°回転されて再び偏光ビームスプリッタ５に入射することにより、入射光と分離されるように反射されて、検出レンズ８により受光領域が４分割された分割受光素子（ＰＤ）９に入射して受光される。この分割受光素子９により受光された各分割領域の受光信号は情報信号となるＲＦ信号、フォーカシング用のサーボ信号Ｆｏ、およびトラッキング用のサーボ信号Ｔｒの基となるもので、ＲＦ信号はＲＦ信号復調回路１０に入力されて再生信号としての再生データの出力に供される。一方、フォーカシング用のサーボ信号Ｆｏ、およびトラッキング用のサーボ信号Ｔｒは、Ｆｏ／Ｔｒサーボ制御装置１１に入力されて、対物レンズ７に対するフォーカシング／トラッキング用のアクチュエータ１２のサーボ制御に供され、記録媒体２に対するレーザ光が合焦状態で正しくトラック上をトラッキングするように制御される。
【００１４】
一方、ＲＦ信号復調回路１０からの再生データを取り込むとともに、各種の演算処理、および制御処理を実行し、演算手段として機能するＣＰＵ１３が設けられている。このＣＰＵ１３には再生データや記録データ、その他の信号の授受を行うホスト１４が接続されている。このＣＰＵ１３には、制御信号や記録データに基づき、半導体レーザ３の発光パワーや発光状態等を制御するＬＤパワー制御装置１５が接続されている。また、半導体レーザ３から出射されて、偏光ビームスプリッタ５により、その一部が反射されて分岐されたモニタ光を、集光レンズ１６を介して受光し、その発光パワーに対応した電流をモニタ信号としてＣＰＵ１３に出力するモニタ素子としての前方フォトディテクタ（ＰＤ）１７が設けられている。
更に、分割受光素子９から出力されるＲＦ信号のピークレベルを検出するためのＲＦ信号レベル検出回路１８が設けられ、ＲＦピークレベル信号がＣＰＵ１３に供される。
【００１５】
図２はＬＤパワー制御装置の詳細を説明するための図である。
同図において符号１９はバイアスレベル電流駆動装置、２０はブーストレベル電流駆動装置、２１はピークレベル電流駆動装置、２２はＩ／Ｖ変換回路、２３はサンプルホールド回路、２４はＡ／Ｄコンバータをそれぞれ示す。
上記のような基本的な構成において、本実施形態では、ＬＤパワー制御装置１５は、例えば図２に示すように構成されている。まず、半導体レーザ３を実際に駆動させるための駆動電流を流すＬＤ駆動装置１５ａが設けられている。ここに、情報記録時は、図４（ｃ）に示すようなキャッスルストラテジ波形でマークを形成するためのピークパワーＰｐ、Ｐｐに対しパルスの前端・後端パワーをブーストするためのブーストパワーＰｂｓｔ、バイアスパワー（ボトムパワー）Ｐｂの３種類の記録パワーが必要となる。このため、ＬＤ駆動装置１５ａの前段側にはその駆動電流をＣＰＵ１３に基づき各々制御するバイアスレベル電流駆動装置（バイアスレベル電流印加手段）１９、ピークレベル電流駆動装置（ピークレベル電流駆動手段）２１、ブーストレベル電流駆動装置２０が設けられている。
バイアスレベル電流駆動装置１９は、ＬＤ駆動装置１５ａに対してバイアスレベル駆動電流信号を出力する。
【００１６】
ピークレベル電流駆動装置２１は具体的にはＤ／Ａコンバータ構成であり、ＣＰＵ１３によりデジタル的に設定されたＬＤ駆動電流情報に基づきアナログ信号であるピークレベル重畳電流信号をＬＤ駆動装置１５ａに対して出力する。
ブーストレベル電流駆動装置２０は後述するような回路構成によりＬＤ駆動装置１５ａに対してバイアスレベル電流に重畳すべきブーストレベル重畳電流信号を出力する。
また、フォトディテクタ１７から出力されるパワーモニタ電流を電圧信号に変換するＩ／Ｖ変換回路２２が設けられ、この電圧信号はピークレベルのパワーがサンプルホールド回路２３によりサンプルされ、Ａ／Ｄコンバータ２４によりデジタル化されて、ＣＰＵ１３に出力される。
【００１７】
図３はブーストレベル電流駆動装置の詳細を説明するための図である。
同図において符号３６、３７はＤ／Ａコンバータ、３８はスイッチをそれぞれ示す。
ブーストレベル電流駆動装置２０は、図３に示すように、ブーストレベル電流切替手段としての２つのＤ／Ａコンバータ３６、３７とスイッチ３８とにより構成されている。ピークレベル切替信号に基づき、スイッチ３８により選択されたＤ／Ａコンバータ３６、３７から、ＬＤ駆動装置１５ａに対してブーストレベル重畳電流が出力される。一方のＤ／Ａコンバータ３６は、ＣＰＵ１３からの通常ブーストレベル制御信号により、ブーストレベルが通常ブーストレベルＰｂｓｔとなるように設定され、通常のキャッスルストラテジによる発光を行っている場合は、ブーストレベル切替信号によりスイッチ３８はＬ側に設定されている。
他方のＤ／Ａコンバータ３７は、ＣＰＵ１３からの単パルス発生時ブーストレベル制御信号により、ブーストレベルが後述する所定のブーストレベル（実際には、Ｐｂｓｔ＝０とする）となるように設定され、ブーストパワー切替信号によりスイッチ３８がＨレベル側に切り替えられた場合に設定されている。
【００１８】
このような構成において、まず、記録時における通常パルス波形動作について説明する。
ＣＰＵ１３から出力されるブーストレベル制御信号（通常又は単パルス発生時）／ピークレベル制御信号によりブーストレベル電流駆動装置２０、ピークレベル電流駆動装置２１の出力電流が各々設定される。ピークレベル電流駆動装置２１は、ＣＰＵ１３によりデジタル的に設定されたＬＤ駆動電流情報を基にアナログ信号であるピークレベル重畳電流信号をＬＤ駆動装置１５ａに出力する。ブーストレベル電流駆動装置２０は、ブーストレベル重畳電流をＬＤ駆動装置１５ａに出力する。バイアスレベル電流駆動装置１９はバイアスレベル駆動電流信号をＬＤ駆動装置１５ａに出力する。
ＬＤ駆動装置１５ａでは、バイアスレベル駆動電流信号、ピークレベル重畳電流信号、ブーストレベル重畳電流信号に応じてバイアスパワー（ボトムパワー）Ｐｂ／ピークパワーＰｐ／ブーストパワーＰｂｓｔの駆動電流量を決定する。
【００１９】
図４はＬＤ駆動信号を説明するための図である。同図（ａ）はチャンネルクロック、同図（ｂ）は変調信号、同図（ｃ）は発光波形をそれぞれ示す図である。
ＣＰＵ１３は、記録する情報を同図（ａ）に示すような周期Ｔのチャンネルクロックに応じて同図（ｂ）に示すような８−１６変調信号に変換し、さらに同図（ｃ）に示すようなキャッスルストラテジ発光波形を生成し、その波形に応じてピークパワーイネーブル信号、およびブーストパワーイネーブル信号、をＬＤ駆動装置１５ａに供給する。ＬＤ駆動装置１５ａではこれらのブーストパワーイネーブル信号、およびピークパワーイネーブル信号が“Ｈ”レベルのときに、対応する各レベルの重畳電流信号をバイアスレベル駆動電流信号に適宜重畳して、半導体レーザ３に駆動電流を供給する。
【００２０】
図５は各信号の関係を説明するための図である。同図（ａ）は変調信号、同図（ｂ）はピークパワーイネーブル信号、同図（ｃ）はブーストパワーイネーブル信号、同図（ｄ）は光波形、同図（ｅ）は切り替え信号、同図（ｆ）はサンプルホールド信号、同図（ｇ）はモニタＰＤ出力信号をそれぞれ示す図である。
具体的には、図５（ｂ）（ｃ）に示すように、ブーストレベルで発光する場合は、ブーストパワーイネーブル信号が“Ｈ”レベルになり、ＬＤ駆動装置１５ａはバイアスレベル駆動電流信号にブーストレベル重畳電流信号を重畳して、半導体レーザ３の駆動電流とする。ピークレベルで発光する場合は、ピークパワーイネーブル信号を“Ｈ”レベルとし、ＬＤ駆動装置１５ａはバイアスレベル駆動電流信号にピークレベル重畳電流信号を重畳して、半導体レーザ３の駆動電流とする。
ＬＤ駆動装置１５ａより半導体レーザ３に駆動電流が供給されると、半導体レーザ３からレーザが出射されて記録媒体２を照射し、情報の記録を行なう。その際、出射光の一部がフォトディテクタ１７に入射され、発光パワーに比例したパワーモニタ電流がＩ／Ｖ変換回路２２に出力される。Ｉ／Ｖ変換回路２２により電流−電圧変換されたパワーモニタ信号を利用することで、パワーレベルの検出を行うことができる。
上述したように、キャッスルストラテジ波形は図４（ｃ）のようにピークレベルが複数種類あるため、通常のサンプルホールド回路でピークレベルのサンプルを行おうとした場合、両端のブーストレベルを避けて中央のピークレベルをサンプルする必要があるが、記録線速度が高速になると、正確に中央のレベルをサンプルすることが困難になる。そこで、ピークレベルのサンプルを行う場合、図５右側に示すように、一瞬だけ発光波形を単パルス化し、そのタイミングでピークレベルをサンプルするようにする。具体的には、ブーストレベルＰｂｓｔがピークレベルＰｐと同じレベルになるようにする。
【００２１】
この動作の目的は二つあり、ＬＤ発光レベルを設定レベルに保つＡＰＣと、メディアへの記録品質を一定に保つＲｕｎｎｉｎｇ−ＯＰＣである。
ＣＰＵ１３は、まず、単パルス出力時ブーストレベル制御信号により、半導体レーザ３がピークレベルＰｐで発光するようにブーストレベル電流駆動装置２０中のＤ／Ａコンバータ３７を設定しておく。この状態で、一定期間（例えば、１０Ｔ以上マーク出現期間）、ＣＰＵ１３はブーストレベル切替信号を“Ｈ”レベルにしてブーストレベルの重畳電流がＤ／Ａコンバータ３７出力となるようにスイッチ３８を切り替える。と同時に、出射光サンプルホールド信号をＨにする。すると、このマークデータが出現している期間中、Ｐｂｓｔ＝Ｐｐとなり、半導体レーザ３が一定レベルＰｐの単パルス波形で発光する。この期間の後半で、出射光サンプリング信号をＬにし、ピークレベルＰｐを検出する。ＣＰＵ１３では、この検出されたピークレベルが、設定したピークレベルを保持するようピークレベル制御信号を更新する。この動作を所定期間周期（ＡＰＣ制御周期：この間隔を第１の所定間隔とする）で繰り返し行うことで、Ｉ−Ｌ特性の変化に追従して記録動作中のＬＤ発光レベルを一定に保つことができる。
【００２２】
図６は図５と同様な図である。ただし、同図（ｅ）はＲＦ信号サンプルホールド信号、同図（ｆ）はＲＦ信号出力をそれぞれ示す図である。
ＡＰＣ制御周期は、ＬＤのＩ−Ｌ特性の変化に追従できる程度の頻度を実験的に求めておく。また、ブーストレベル切替信号は、サンプリングを行う１０Ｔ以上マークデータ発生期間のみＨとなるようにする。こうすると、サンプリング実行以外のデータは通常のキャッスルストラテジ波形で発光するので、記録品質に殆ど影響を与えない。
一方、Ｒｕｎｎｉｎｇ−ＯＰＣ動作でＲＦ信号のピークレベルを検出するため、ＡＰＣ制御周期とは異なる周期（この間隔を第２の所定間隔とする）で、同様に単パルス発光動作を行う。
すなわち、一定期間（例えば、１０Ｔ以上マークデータ期間）、ＣＰＵ１３はブーストレベル切替信号を“Ｈ”レベルにしてブーストレベルの重畳電流がＤ／Ａコンバータ３７出力となるようにスイッチ３８を切り替えると同時に、ＲＦ信号サンプルホールド信号をＨにする。この期間の後半で、ＲＦ信号サンプリング信号をＬにし、ＲＦ信号のピークレベルを検出する。ＣＰＵ１３は、ＲＦピークレベルが一定レベルとなるとなるよう、ピークレベルの設定パワーを更新する。
第１の所定間隔と第２の所定間隔、すなわち、ＡＰＣ制御周期とＲｕｎｎｉｎｇ−ＯＰＣ制御周期、は独立した周期で設定されるが、これらの周期間隔は、頻度に差があることが望ましい。これは、ＡＰＣ動作が設定されたパワーを維持するよう作用するのに対し、Ｒｕｎｎｉｎｇ−ＯＰＣ動作は設定パワーそのものを更新するため、両者が同程度の頻度で行われると、一方の制御が他方の制御に干渉し、制御が破綻する恐れがあるためである。少なくとも、一方が他方の数分の１程度の頻度差にしておく必要がある。
【００２３】
図７、８、９はサンプリング周期の関係を説明するための図である。
例えば、図７に示すように、ＡＰＣ制御周期をＲｕｎｎｉｎｇ−ＯＰＣ制御周期の１０分の１程度にする。言い換えれば、Ｒｕｎｎｉｎｇ−ＯＰＣ制御の間隔をＡＰＣ制御の間隔の１０倍程度にする。このような構成では、Ｒｕｎｎｉｎｇ−ＯＰＣに比べてＡＰＣ制御が十分高頻度で行われているため、設定パワーに対するレーザパワーは安定的に制御され、その上で、Ｒｕｎｎｉｎｇ−ＯＰＣにより設定パワーを更新するようにする。
また、他の実施例として、図８に示すように、Ｒｕｎｎｉｎｇ−ＯＰＣ制御周期をＡＰＣ制御周期の１０分の１程度にする。言い換えれば、ＡＰＣ制御の間隔をＲｕｎｎｉｎｇ−ＯＰＣ制御の間隔の１０倍程度にする。この実施例では、ＡＰＣ制御に比べＲｕｎｎｉｎｇ−ＯＰＣが十分高頻度で行われているため、記録品質が一定になるように設定パワーが常に制御され、その上で、ＡＰＣ制御によりＩ−Ｌ特性の変化に追従させる。
他の実施例として、記録線速度の変化に応じてサンプリング周期を変化させるようにする。例えばＣＡＶ方式（回転角速度一定制御）で記録を行うと、レーザ光に対するメディアの線速が内周から外周に向かうほど速くなる。記録線速度が速くなると、それだけメディアの面内変動などが大きくなり、Ｒｕｎｎｉｎｇ−ＯＰＣ動作をより頻繁に行う必要がある。そこで、図９に示すように、記録線速度の増加に応じて、ＲＦ信号サンプリング信号の発生頻度を高くするようにする。こうすることで、より高精度に記録品質を一定に保つことができる。
【図面の簡単な説明】
【００２４】
【図１】本発明を適用する光情報記録装置の基本的な全体構成例を示す図である。
【図２】ＬＤパワー制御装置の詳細を説明するための図である。
【図３】ブーストレベル電流駆動装置の詳細を説明するための図である。
【図４】ＬＤ駆動信号を説明するための図である。
【図５】各信号の関係を説明するための図である。
【図６】図５と同様な図である。
【図７】サンプリング周期の関係を説明するための図である。
【図８】サンプリング周期の関係を説明するための図である。
【図９】サンプリング周期の関係を説明するための図である。
【図１０】従来の記録時のＬＤ波形を説明するための図である。
【図１１】改良型のＬＤ波形を説明するための図である。
【図１２】ＬＤの駆動電流に対する発光パワー特性変化を説明するための図である。
【図１３】反射光検出における問題点を説明するための図である。
【符号の説明】
【００２５】
１      光情報記録装置
２      記録媒体
３      半導体レーザ
１０      ＲＦ信号復調回路
１１      Ｆｏ／Ｔｒサーボ制御装置
１５      ＬＤパワー制御装置
１８      ＲＦ信号レベル検出回路
【図１】
2006092664.tif 000003
【図２】
2006092664.tif 000004
【図３】
2006092664.tif 000005
【図４】
2006092664.tif 000006
【図５】
2006092664.tif 000007
【図６】
2006092664.tif 000008
【図７】
2006092664.tif 000009
【図８】
2006092664.tif 000010
【図９】
2006092664.tif 000011
【図１０】
2006092664.tif 000012
【図１１】
2006092664.tif 000013
【図１２】
2006092664.tif 000014
【図１３】
2006092664.tif 000015